(57)【特許請求の範囲】
【請求項１】
液透過性の表面シート、液不透過性の防漏シート及び液保持性の吸収体を備え、実質的に縦長であり、長手方向の左右の両側部に、先端部及び起立部を有する立体ガードを備え、該先端部の近傍には弾性を有する先端部弾性領域が形成され、該起立部の近傍にはレッグギャザー領域が形成された吸収性物品において、
前記立体ガードの前記起立部それぞれの形成位置は、前記吸収性物品の幅方向において、前記吸収体の両側端の位置より外方であり、
前記先端部弾性領域それぞれは、前記立体ガードを形成する立体ガード形成用シートの先端部を長手方向に沿って折り返し、該折り返し部分の内側に弾性部材を保持固定することにより形成され、
前記レッグギャザー領域それぞれは、該レッグギャザー領域を形成するレッグ用弾性部材を、前記立体ガード形成用シートと、該レッグ用弾性部材を被覆するように配設されたカバーシートとの間に挟持固定することにより形成され、
前記レッグ用弾性部材のうち、前記吸収体側に位置する一部のレッグ用弾性部材は、前記表面シートから離間して配置されており、
前記立体ガードの前記先端部と前記起立部との間では、前記立体ガードが、前記立体ガード形成用シートの一枚のみからなる部分を有している吸収性物品。
【請求項２】
前記レッグギャザー領域の吸収体側における前記カバーシートの表面が露出している請求項１記載の吸収性物品。
【請求項３】
前記立体ガード形成用シート及び前記カバーシートが液不透過性である請求項１または２記載の吸収性物品。
【請求項４】
前記カバーシートは前記立体ガード形成用シートの前記吸収体側に配設されている請求項１〜３のいずれかに記載の吸収性物品。
【請求項５】
前記立体ガード形成用シートと前記カバーシートとが非連続である請求項１〜４のいずれかに記載の吸収性物品。
【発明の詳細な説明】
【０００１】
【発明の属する技術分野】
本発明は、排泄物の捕集性及びパッド類の収納性を高めた防漏効果の高い、使い捨ておむつ等の吸収性物品に関する。
【０００２】
【従来の技術及び発明が解決しようとする課題】
使い捨ておむつ等の吸収性物品には、従来から排泄物の収容容量の向上が求められてきた。その一つの解決策として立体ガードの起立位置を幅方向外側へ移動させることが考えられる。しかし、立体ガードの起立位置の外側にはレッグギャザーが配設されており、レッグギャザー近傍まで起立位置を移動しようとすると、おむつ等の加工工程中の本体及び弾性部材の蛇行や、使用中の僅かな外力により、レッグギャザーの弾性部材がむき出し抜けやすくなるという問題があった。
【０００３】
また、上記問題を解決するためにレッグギャザーを幅方向外側に移動させると装着性及び足回りのフィット性が著しく低下することが判っており、レッグギャザーの配設位置を、従来検討されてきた最適位置から移動させることは好ましくない。
【０００４】
従って、本発明の目的は、立体ガードの起立位置をレッグギャザー近傍まで最大限移動してもレッグギャザーの効果を損なうことが無く、排泄物の捕集性及び補助パット類の収納性を向上させた、防漏効果の高い吸収性物品を提供することにある。
【０００５】
【課題を解決するための手段】
本発明は、液透過性の表面シート、液不透過性の防漏シート及び液保持性の吸収体を備え、実質的に縦長であり、長手方向の左右の両側部に、先端部及び起立部を有する立体ガードを備え、該先端部の近傍には弾性を有する先端部弾性領域が形成され、該起立部の近傍にはレッグギャザー領域が形成された吸収性物品において、前記立体ガードの前記起立部それぞれの形成位置は、前記吸収性物品の幅方向において、前記吸収体の両側端の位置より外方であり、前記先端部弾性領域それぞれは、前記立体ガードを形成する立体ガード形成用シートの先端部を長手方向に沿って折り返し、該折り返し部分の内側に弾性部材を保持固定することにより形成され、前記レッグギャザー領域それぞれは、該レッグギャザー領域を形成するレッグ用弾性部材を、前記立体ガード形成用シートと、該レッグ用弾性部材を被覆するように配設されたカバーシートとの間に挟持固定することにより形成され、
前記レッグ用弾性部材のうち、前記吸収体側に位置する一部のレッグ用弾性部材は、前記表面シートから離間して配置されており、前記立体ガードの前記先端部と前記起立部との間では、前記立体ガードが、前記立体ガード形成用シートの一枚のみからなる部分を有している吸収性物品を提供することにより、上記目的を達成したものである。
【０００６】
【発明の実施の形態】
以下、本発明をその好ましい実施形態に基づいて説明する。
第１の実施形態の吸収性物品としての使い捨ておむつ１は、図１及び２に示すように、液透過性の表面シート２、液不透過性の防漏シート３及び液保持性の吸収体４を備え、実質的に縦長である、いわゆる展開型の使い捨ておむつである。表面シート２及び防漏シート３は、それぞれ吸収体４よりも大きい外形寸法を有し、これら両シート２、３間に、縦長の吸収体４が固定されている。
【０００７】
第1 の実施形態の使い捨ておむつ１の長手方向の左右の両側部には、長手方向に亘って一対の立体ガード６、６が配設されている。立体ガード６は先端部６ａと起立部６ｂとを有し、先端部６ａの近傍には弾性を有する先端部弾性領域（先端部ギャザー領域）が形成され、起立部６ｂの近傍にはレッグギャザー領域８，８が形成されている。本発明でいうレッグギャザー領域８は、レッグ用弾性部材７ａ、７ｂ、７ｃが収縮することにより立体ガード６の起立部６ｂの近傍に形成される、装着者の脚周りにフィットするギャザーが生じている領域を指す。
使い捨ておむつ１の前記両側部は左右対称形状であるので、以下、前記使い捨ておむつ１の前記左右両側部のうち、主として一側部について説明する。なお、図１においては弾性部材の一部は省略されている。
【０００８】
第１実施形態においては、前記起立部６ｂの近傍にカバーシート２６が配設されている。このカバーシート２６は、前記レッグギャザー領域８を形成するレッグ用弾性部材７ａ、７ｂ、７ｃを被覆するように配設され、前記立体ガード６を形成する立体ガード形成用シート１６との間に、該レッグ用弾性部材７ａ、７ｂ、７ｃを挟持固定している。
【０００９】
第１の実施形態の使い捨ておむつ１においては、吸収体４の受液側を覆う前記表面シート２が使い捨ておむつ１の両側部に延びており、前記立体ガード形成用シート１６は、使い捨ておむつ１の両側部において、その長手方向の全長にわたって該表面シート２上に設けられている。前記カバーシート２６は、使い捨ておむつ１の長手方向において立体ガード形成用シート１６と同じ長さを有し、且つ幅方向においてレッグ用弾性部材７ａ、７ｂ、７ｃを被覆できる幅寸法を有する。このカバーシート２６は、立体ガード形成用シート１６と表面シート２との間において、伸長させたレッグ用弾性部材７ａ、７ｂ、７ｃを挟持した状態で、立体ガード形成用シート１６に接合されている。レッグ用弾性部材７ａ、７ｂ、７ｃは、立体ガード形成用シート１６で形成された立体ガード６の起立部６ｂと共に、主として使い捨ておむつ１の装着時に装着者の脚周りに当てられるレッグギャザー領域８を形成している。
【００１０】
上述したように、カバーシート２６は、長手方向に沿って表面シート２上に接合されており、立体ガード６の起立部６ｂが形成されている。また、カバーシート２６は、起立部６ｂより先端部６ａ側においては表面シート２上に接合されておらず、立体ガード６の吸収体４側の表面に露出している。すなわち、第１実施形態の使い捨ておむつ１におけるカバーシート２６は、起立部６ｂより使い捨ておむつの幅方向外側のレッグフラップ部５においては、表面シート２上に固定されており、立体ガード６の起立部６ｂから先端部６ａまでの間においては、表面シート２から離間して露出している。そして、一部のレッグ用弾性部材（レッグギャザー用弾性部材）７ｂ、７ｃは、表面シート２に固定されたカバーシート２６と立体ガード形成用シート１６との間に配され、他の一部のレッグ用弾性部材（レッグギャザー補助用弾性部材）７ａは、表面が露出したカバーシート２６と立体ガード形成用シート１６との間に配されている。なお、起立部６ｂとは、立体ガード６が表面シート２から離間する境界の部分を指す。
【００１１】
第１の実施形態の先端部６ａ側における立体ガード形成用シート１６は、おむつ１の長手方向に沿って折り返され、折り返し部分の内側に長手方向に延びる先端部用の弾性部材７ｄ、７ｅ、７ｆが伸長された状態で保持固定され、先端部弾性領域が形成されている。弾性領域とは弾性を有する領域を指す。さらに立体ガード形成用シート１６は、長手方向の前後端部を表面シート２上に接合され、自由状態では弾性部材７ｄ、７ｅ、７ｆが収縮することにより、図１に示すように立体ガード６が装着者側へと立ち上がる。
【００１２】
立体ガード形成用シート１６及びカバーシート２６は、シート状のものであれば良いが、液の滲み出しを防止し、防漏効果を向上させるために液不透過性の織布または不織布を用いて形成することが好ましい。また、レッグ用弾性部材７ａ、７ｂ、７ｃを挟持した状態で立体ガード形成用シート１６とカバーシート２６とをホットメルトなどで接合すると、排泄液の染み込みによる接着力の低下を防止できる。使い捨ておむつ１の製造工程中において一枚のシートを切断することによって、立体ガード形成用シート１６とカバーシート２６とを形成すると、使い捨ておむつ１の製造工程において、加工工程を簡略化でき、加工効率が向上されるので好ましい。
【００１３】
レッグギャザー領域８に設けられるレッグ用弾性部材７ａ、７ｂ、７ｃは、通常の使い捨ておむつに用いられる各種の弾性収縮材料を用いることができる。具体的には、天然ゴム、スチレンーブタジエン、イソプレン、ネオプレン等の合成ゴム、ＥＶＡ、伸縮性ポリオレフィン、ポリウレタン等の伸縮性の素材を広く用いることができる。図２に示すように、レッグ用弾性部材が複数個設けられる場合、各弾性部材の素材、形態はそれぞれ同一であっても良いし、互いに異なっていても良い。
【００１４】
先端部弾性領域に設けられる弾性部材７ｄ、７ｅ、７ｆは、前記レッグ用弾性部材７ａ、７ｂ、７ｃと同様にどのような素材を用いても良い。また、弾性部材７ａ、７ｂ、７ｃを設ける代わりに、適当な手段で、立体ガード６の先端部６ａに先端部弾性領域を形成しても良い。
【００１５】
表面シート２、防漏シート３、吸収体４の形成材料としては、それぞれ、従来、使い捨ておむつに使用されている各種の材料を特に制限なく用いることができる。
【００１６】
第1 実施形態の使い捨ておむつ１においては、上述したように、レッグギャザー領域８を形成するレッグ用弾性部材７ａ、７ｂ、７ｃがカバーシート２６によって覆われているため、使い捨ておむつ１の製造工程時や装着時に、立体ガード６に使い捨ておむつ幅方向外側への外力がかかって立体ガード６が表面シート２から剥がれても、レッグ用弾性部材７ａ、７ｂ、７ｃが使い捨ておむつ１の表面に露出してしまうことがない。
【００１７】
また、第１実施形態の使い捨ておむつ１においては、上記のようにレッグ用弾性部材７ａ、７ｂ、７ｃがおむつの１表面に露出してしまう心配がないので、立体ガード６とレッグフラップ部５とを互いに接近した位置に設けることができる。レッグギャザーの形成位置を従来のおむつより幅方向の外側へずらすことなく、立体ガード６の形成位置（起立部６ｂの形成位置）を使い捨ておむつ１の側端部付近に設けることができるので、使い捨ておむつ１の排泄物の収容領域を幅広くすることができる。その結果、立体ガード６，６間に排泄物の保持空間を確実に形成することができ、吸収性能に優れた使い捨ておむつとなる。特に、使い捨ておむつ１の一対の立体ギャザー６、６間の受液側に、使い捨ておむつ１とは別の吸収性物品である補助パッド等を収納させて使用する場合、前記のように吸収領域が幅広いと、比較的大きな補助パッドであっても容易に収納でき、補助パッドの収納性が高くなる。従来のおむつでは、立体ガード間の距離を拡幅できないため、比較的大きな補助パットの使用者は、立体ガード上に補助パットを乗せて使わざるを得なかった。その結果、立体ガードが機能せず、補助パットから漏出した排泄物は、そのまま漏れてしまった。本発明のように補助パットの収納性を高くすることにより、補助パットから漏出した排泄物を更に立体ガード間で収容し、大幅に防漏性能を向上させることができる。
【００１８】
さらに、本実施形態の使い捨ておむつ１において、レッグギャザー領域８を形成するレッグ用弾性部材７ａ、７ｂ、７ｃのうち、吸収体４側に位置する一部の弾性部材（この場合、レッグ用弾性部材７ａ）が、表面シート２から離間しており、離間したレッグ用弾性部材が収縮することにより、立体ガード６の起立性が高くなり、立体ガード６による漏れ防止効果を向上させることができる。この場合、レッグ用弾性部材７ｂ、７ｃが主としてレッグ部の締め付けに寄与して漏れを防止する。
【００１９】
次に参考例として第２実施形態の使い捨ておむつ１Ａを説明する。
第２実施形態の使い捨ておむつ１Ａについては、第１実施形態の使い捨ておむつ１と異なる点について説明する。特に説明しない点に関しては、第１実施形態の使い捨ておむつ１と同様であり、第１実施形態に関して上述した説明が適用される。
【００２０】
第２実施形態の使い捨ておむつ１Ａにおいては、図３に示すように、カバーシート２６が、立体ガード６Ａの先端部６ａまで延びて立体ガード形成用シート１６に連続している点において、第１実施形態の使い捨ておむつ１と異なる。使い捨ておむつ１Ａにおいては、カバーシート２６と立体ガード形成用シート１６とが連続した連続シート３６が、二つ折りされ、立体ガード６Ａが形成されている。連続シート３６の折り返し部で先端部６ａが形成されており、立体ガード６Ａの起立部６ａの近傍は第１実施形態と同様に形成されている。
【００２１】
第２実施形態の使い捨ておむつ１Ａにおいては、立体ガードを形成する連続シート３６の一部が、レッグ用弾性部材を被覆するカバーシートとしての機能を持ち、第１実施形態の使い捨ておむつ１と同様の効果が得られる。
【００２２】
次に、本発明の第３実施形態の使い捨ておむつ１Ｂについて説明する。
第３実施形態の使い捨ておむつ１Ｂについても、第１実施形態の使い捨ておむつ１と異なる点について説明する。特に説明しない点に関しては、第１実施形態の使い捨ておむつ１と同様であり、第１実施形態に関して上述した説明が適用される。
【００２３】
第３実施形態の使い捨ておむつ１Ｂにおいては、図４に示すように、カバーシート２６が、立体ガード形成用シート１６より使い捨ておむつ１Ｂの外側に設けられている点において、第１実施形態の使い捨ておむつ１と異なる。使い捨ておむつ１Ｂのレッグギャザー領域８においては、レッグ用弾性部材７ａ、７ｂ、７ｃを被覆するカバーシート２６に対応する立体ガード形成用シート１６の一部が、吸収体４側において露出している。
【００２４】
第３実施形態の使い捨ておむつ１Ａにおいては、第１実施形態の使い捨ておむつ１と同様の効果が得られる。
【００２５】
なお、第１と第３の実施形態の使い捨ておむつ１、１Ｂにおいては、立体ガード６、６Ｂは、図２、図４に示すように、その先端部６ａとその起立部６ｂとの間では、立体ガード形成用シート１６の一枚のみで構成されている部分を有しているため、第１と第３の実施形態の使い捨ておむつ１、１Ｂは、第２実施形態の使い捨ておむつ１Ｂと比較して、立体ガードの柔軟性が高く、軽量であり、コストも安価である。
【００２６】
本発明は、上述した実施形態に制限されない。例えば、カバーシート１６は、表面シート２に接合されていなくても良い。表面シートが吸収体を覆うようにして、表面シートの端部が吸収体の底部に位置し、使い捨ておむつの側部には防漏シートまたはその他のシート等が設けられている場合、カバーシート１６は防漏シートまたはその他のシートに接合され、その結果、立体ガードの起立部が防漏シートまたはその他のシート等の上に形成されていても良い。また、第３実施形態においては、立体ガード形成用シート１６が、表面シート２に接合されて起立部が形成されているが、この立体ガード形成用シート１６が防漏シートまたはその他のシートに接合されて起立部が形成されていても良い。
【００２７】
レッグ回りに充分なフィット性を得る観点から、少なくとも１つのレッグ用弾性部材が、表面シートに固定されたカバーシートと立体ガード形成用シートとの間に配されていることが好ましい。また、全てのレッグ用弾性部材が、表面シートに固定されたカバーシートと立体ガード形成用シートとの間に配されていても良いが、立体ガードの起立性をより高めるために、表面シートから離間して露出したカバーシートと立体ガード形成用シートとの間に少なくとも１つの弾性部材が配されていることが好ましい。
【００２８】
本発明においては、カバーシートは立体ガード形成用シートと同じ素材であることが好ましいが、レッグ用弾性部材を被覆して、挟持固定できるものであれば、異なる素材であってもよい。また、カバーシートと立体ガード形成用シートの間に他部材が挟持されていても良い。
【００２９】
さらに、本発明の吸収性物品は展開型の使い捨ておむつに限られず、予めパンツ型に形成された使い捨ておむつや、補助パッドや、生理用ナプキンであっても良い。
【００３０】
【発明の効果】
本発明の吸収性物品は、立体ガードをレッグギャザー領域近傍に設けることができ、排泄物の捕集性が高く、パッド類の収納性に優れているので、高い漏れ防止効果を得ることができるものである。
【図面の簡単な説明】
【図１】  図１は、本発明の使い捨ておむつの第１実施形態を示す斜視図である。
【図２】  図２は、図１のＩＩ−ＩＩ線の断面図である。
【図３】  図３は、本発明の使い捨ておむつの参考実施形態（第２実施形態）を示す断面図（図２相当図）である。
【図４】  図４は、本発明の使い捨ておむつの第３実施形態を示す断面図（図２相当図）である。
【図１】
0004187389.tif 000002
【図２】
0004187389.tif 000003
【図３】
0004187389.tif 000004
【図４】
0004187389.tif 000005